(57)【要約】【課題】葬儀の場所を極力自由に設定でき、会葬者が少ない小規模な葬祭への対応が可能な葬儀設備を提供することを課題とする。【解決手段】走行車両２に形成された祭事空間Ｓと、この祭事空間内に設置される祭壇３とからなり、走行車両の側部に、祭事空間を開閉する扉４が設けられている。【選択図】図１
0003232015.tif 000002
【実用新案登録請求の範囲】
【請求項１】
走行車両に形成された葬儀空間と、この葬儀空間内に設置される祭壇とからなり、前記走行車両の側部に、前記葬儀空間を開閉する扉が設けられていることを特徴とする葬儀設備。
【請求項２】
前記祭壇が分解可能に構成され、前記葬儀空間の内壁に、分解された祭壇が格納される格納庫が形成されていることを特徴とする請求項１に記載の葬儀設備。
【請求項３】
前記扉が、設置された祭壇を挟んで一対設けられ、一方の前記扉が前記葬儀空間への入り口となされ、他方の前記扉が前記葬儀空間からの出口となされていることを特徴とする請求項１に記載の葬儀設備。
【請求項４】
前記一対の扉の下方に、収納可能な階段が設けられていることを特徴とする請求項３に記載の葬儀設備。
【請求項５】
前記扉が、前記葬儀空間の側部全面に亘って形成され、前記葬儀空間を開放した際に、前記走行車両の上部から略水平に位置させられて、この走行車両の側部に屋根を形成するように構成されていることを特徴とする請求項１に記載の葬儀設備。
【考案の詳細な説明】
【技術分野】
【０００１】
本考案は、葬儀設備に係わり、特に、葬祭場所を自由に設定することの可能な葬儀設備に関する。
【背景技術】
【０００２】
従来の葬儀設備は、たとえば、特許文献１に示されるように、敷地内に固定構造物である建物を建築し、この建物内に、葬祭スペースや控えスペースを設けたものが殆どである。
【０００３】
このような葬儀設備は設置場所が限られていることから、故人や家族等にゆかりの地や思い出の地といった場所での葬儀が行なえない。
【０００４】
また、会葬者が多い場合等には適しているが、核家族化等により、小規模なお葬式を要望する傾向があり、このような会葬者が少ない場合には設備が大きすぎて無駄が多いといった改善すべき問題点が残されている。
【先行技術文献】
【特許文献】
【０００５】
【特許文献１】実用新案登録第３１８０７０１号公報
【考案の概要】
【考案が解決しようとする課題】
【０００６】
本考案は、前述した従来の技術において残されている問題点に鑑みてなされたもので、葬儀の場所を極力自由に設定でき、会葬者が少ない小規模な葬祭への対応が可能な葬儀設備を提供することを解決すべき課題とする。
【課題を解決するための手段】
【０００７】
本考案の葬儀設備は、前述した課題を解決するために、走行車両に形成された祭事空間と、この祭事空間内に設置される祭壇とからなり、前記走行車両の側部に、前記祭事空間を開閉する扉が設けられていることを特徴とする。
【０００８】
このような構成とすることにより、走行車両を指定された場所へ移動させた後、祭事空間内に祭壇を設置することにより葬儀設備を指定された場所で葬儀を行なうことができる。
【０００９】
このように、葬儀の場所を、自宅近くや故人のゆかりの地等、自由に設定することができる。
【００１０】
また、祭壇を設置するスパースが、走行車両に形成されている祭事空間に集約され、また、会葬者は走行車両の周りで待機する。
これによって葬儀設備が簡素化されて狭いスペースでの葬儀が可能となる。
【００１１】
前記祭壇を分解可能に構成し、祭事空間の内壁に、分解された祭壇を格納する格納庫を形成することもできる。
【００１２】
このような構成とすることにより、葬儀を終えた際に、祭壇を分解して格納庫に格納して、祭事空間を大きく開放することができる。
【００１３】
大きく開放された祭事空間は、たとえば、会葬者のための椅子やテーブル等、葬儀に必要な他の用具の収納に用いられる。
【００１４】
前記扉を、設置された祭壇を挟んで一対設け、一方の扉を祭事空間への入り口とし、他方の扉を祭事空間からの出口とすることができる。
【００１５】
このような構成とすることにより、会葬者の流れを一方向として、円滑な会葬を促すことができる。
【００１６】
そして、前記扉の下方に、収納可能な階段を設けておくことにより、会葬者の流れをより円滑なものとすることができる。
【００１７】
また、前記扉を、祭事空間の側部全面に亘って形成しておき、祭事空間を開放した際に、走行車両の上部から略水平に位置させる構成とすることができる。
【００１８】
このような構成とすることにより、扉によって走行車両の側部に屋根を形成し、雨や日差しを避けることができる。
【考案の効果】
【００１９】
本考案の葬儀設備によれば、葬儀の場所を極力自由に設定でき、会葬者が少ない小規模な葬祭への対応が可能な葬儀設備を提供することができる。
【図面の簡単な説明】
【００２０】
【図１】本考案の第１の実施形態を示すもので、走行車両の側面図である。
【図２】本考案の第１の実施形態を示すもので、走行車両の側面図である。
【図３】本考案の第１の実施形態を示すもので、走行車両を後方から見た図である。
【図４】本考案の第２の実施形態を示すもので、走行車両の側面図である。
【図５】本考案の第２の実施形態を示すもので、走行車両を後方から見た図である。
【考案を実施するための形態】
【００２１】
以下、本考案の第１の実施形態を図１ないし図３を参照して説明する。
これの図において、符号１は本実施形態の葬儀設備を示す。
【００２２】
本実施形態の葬儀設備１は、走行車両２に形成された祭事空間Ｓと、この祭事空間Ｓ内に設置される祭壇３とからなり、走行車両２の側部に、祭事空間Ｓを開閉する扉４が設けられている。
【００２３】
前記走行車両２は、たとえば、キャンピングカー等を改装して構成され、その後方に大容量の前記祭事空間Ｓが形成されている。
【００２４】
また、前記祭事空間Ｓは、その開口部が走行車両２の側部のほぼ全面を開放するように形成されている。
【００２５】
前記祭壇３は、本実施形態においては多数の部材を用いて組み立て、および、分解が可能な構成となされている。
【００２６】
前記扉４は、葬儀空間Ｓの大きく開放された開口部を全面に亘って覆うように形成され、葬儀空間Ｓの上縁部において、多数のヒンジ５を介して走行車両２に回動自在に連結されている。
【００２７】
そして、扉４は、図１に示すように、葬儀空間Ｓを閉じる位置と、図２および図３に示すように、葬儀空間Ｓを開放する位置との２位置において固定されるようになっている。
【００２８】
一方、前記葬儀空間Ｓの内壁には、本実施形態においては、葬儀空間Ｓの側部上方、および、前方に多数の格納庫６が設けられており、分解された祭壇３やその他の用具が格納されるようになっている。
【００２９】
さらに、前記走行車両２の側方下部には、ステップカバー７が、走行車両２の側面に沿った収納位置と、走行車両２の下方へ引き出された引き出し位置とに回動可能に装着されており、このステップカバー７が引き出し位置に位置させられた状態において、地面近傍から葬儀空間Ｓの床に至るステップ８を形成するようになっている。
【００３０】
このように構成された本実施形態に係わる葬儀設備１によれば、走行車両２を指定された場所へ移動させた後、格納庫６から必要部材を取り出して葬儀空間Ｓ内に祭壇３を組み上げ設置することにより葬儀設備を指定された場所で葬儀を行なうことができる。
【００３１】
このように、葬儀の場所を、自宅近くや故人のゆかりの地等、自由に設定することができる。
【００３２】
また、祭壇３を設置するスパースを、走行車両２に形成されている葬儀空間Ｓに集約することができ、また、会葬者を走行車両２の周りに待機させることができる。
【００３３】
これによって葬儀設備１が簡素化されて狭いスペースでの葬儀が可能となり、小規模の葬儀を可能とする。
【００３４】
葬儀を終えた後は、祭壇３を分解して格納庫６へ格納することにより、葬儀空間Ｓを大きく開放することができる。
【００３５】
大きく開放された葬儀空間Ｓは、たとえば、会葬者のための椅子やテーブル等、葬儀に必要な他の用具の収納に用いることができる。
【００３６】
一方、前記扉４を、葬儀空間Ｓを開放した際に、走行車両２の上部から略水平に位置させる。
【００３７】
これにより、扉によって走行車両の側部に屋根を形成し、雨や日差しを避けることができる。
【００３８】
そして、葬儀を終えると、走行車両２を待機場所へ移動させて待機させるとともに、次の葬儀の準備を行なう。
【００３９】
図４および図５は、本考案の第２の実施形態を示す。
本実施形態では、扉９・１０を、祭壇３を挟んで、走行車両２の側部と後部に設け、側部に設けられた扉９を葬儀空間Ｓへの入り口とし、後部に設けられた扉１０を葬儀空間Ｓからの出口とすることができる。
【００４０】
このような構成とすることにより、会葬者の流れを一方向として、円滑な会葬を促すことができる。
【００４１】
なお、前述した実施形態において示した走行車両、祭壇、格納庫等の各構成部材の諸形状や寸法等は一例であって、設計要求等に基づき種々変更可能である。
たとえば、前記格納庫６に遺骨を収納しておくことも可能である。
【符号の説明】
【００４２】
１  葬儀設備
２  走行車両
３  祭壇
４  扉
５  ヒンジ
６  格納庫
７  ステップカバー
８  ステップ
９  扉
１０  扉
Ｓ  葬儀空間
【図１】
0003232015.tif 000003
【図２】
0003232015.tif 000004
【図３】
0003232015.tif 000005
【図４】
0003232015.tif 000006
【図５】
0003232015.tif 000007